(57)【要約】【課題】  動画撮影時にも良好な操作性を有す画像撮影装置を提供する。【解決手段】  レンズ部１０、このレンズ部１０を介して入射する光を電気信号に変換する撮像部２０が撮像部２０より変換された前記電気信号を画像データとして記憶する記録媒体６０が装置本体１００に収容された画像撮影装置１において、レンズ部１０の撮像光軸を中心に前記撮像素子を前記装置本体に対して第１の位置から第２の位置に回転したことを検出する第１の回転検出部３０と、撮像部２０が第１の位置にある場合には記録媒体６０には静止画像を記憶させ、撮像部２０が第２の位置にある場合には記録媒体６０には動画像を記憶させる。【選択図】  図１
2006033773.tif 000002
【特許請求の範囲】
【請求項１】
撮像レンズと、
前記撮像レンズを介して入射する光を電気信号に変換する撮像素子と、
前記撮像素子を収容した装置本体と、
前記撮像素子により変換された前記電気信号を画像データとして記憶する記憶手段と、  前記撮像レンズの撮像光軸を中心に前記撮像素子を前記装置本体に対して第１の位置から第２の位置に回転させる回転手段と、
前記回転手段により前記撮像素子が第１の位置にある場合には前記記憶手段には静止画像を記憶させ、前記撮像素子が第２の位置にある場合には前記記憶手段には動画像を記憶させる制御手段と
を具備することを特徴とする画像撮影装置。
【請求項２】
前記第１の位置と前記第２の位置との相対角度は略９０度であることを特徴とする請求項１に記載の画像撮影装置。
【請求項３】
前記回転手段は、前記撮像素子の回転に対応して前記撮像レンズをも回転させることを特徴とする請求項１に記載の画像撮影装置。
【請求項４】
撮像レンズと、
前記撮像レンズを介して入射する光を電気信号に変換する撮像素子と、
前記撮像素子を収容した装置本体と、
前記撮像素子により変換された前記電気信号を画像データとして記憶する記憶手段と、  前記画像データの画像を表示する表示部と、
前記撮像レンズの撮像光軸を中心に前記撮像素子を前記装置本体に対して第１の位置から第２の位置に回転させる第１の回転手段と、
前記第１の回転手段により、前記撮像素子が第１の位置にある場合には、撮像画像を前記表示部に表示させた上で前記記憶手段には静止画像を記憶させ、前記撮像素子が第２の位置にある場合には、前記第１の回転手段により回転した角度とは反対の角度に回転させた撮像画像を前記表示部に表示させた上で前記記憶手段には動画像を記憶させる制御手段と、
を具備することを特徴とする画像撮影装置。
【請求項５】
前記第１の位置と前記第２の位置との相対角度は略９０度であることを特徴とする請求項４に記載の画像撮影装置。
【請求項６】
前記回転手段は、前記撮像素子の回転に対応して前記撮像レンズをも回転させることを特徴とする請求項４に記載の画像撮影装置。
【請求項７】
撮像レンズと、
前記撮像レンズを介して入射する光を電気信号に変換する撮像素子と、
前記撮像素子を収容した装置本体と、
前記撮像素子により変換された前記電気信号を画像データとして記憶する記憶手段と、  前記画像データの画像を表示する表示部と、
前記撮像レンズの撮像光軸を中心に前記撮像素子を前記装置本体に対して第１の位置から第２の位置に回転させる第１の回転手段と、
前記表示部の所定の位置を回転の中心とし、前記表示部を前記装置本体に対して第３の位置から第４の位置に回転させる第２の回転手段と、
前記第１の回転手段により、前記撮像素子が第１の位置にある場合には前記記憶手段には静止画像を記憶させ、前記撮像素子が第２の位置にある場合には前記記憶手段には動画像を記憶させる制御手段と、
を具備することを特徴とする画像撮影装置。
【発明の詳細な説明】
【技術分野】
【０００１】
本発明は、画像撮影装置に関し、特に画像撮影装置の撮影モード切り替え機能を有する画像撮影装置に関する。
【背景技術】
【０００２】
従来のデジタルカメラは、静止画撮影時に好適な形状、すなわちブレないように両手で保持するのに適した形を採用したものが多い。
【０００３】
また、電子カメラの撮像素子に回転機構を設け、カメラ本体に対して相対的に撮像素子の姿勢を変更できるようにし、撮像素子の姿勢を縦長姿勢や横長姿勢に切り替えることによりカメラ本体の保持姿勢を変えることなく記録画像の縦横比を変更可能とし、カメラを持ち替えずに縦長の画像又は横長の画像を記録することが出来る電子カメラが提案されている（例えば、特許文献１参照）。
【特許文献１】特開２００２−６４７３８号公報（第８頁、図３参照）
【発明の開示】
【発明が解決しようとする課題】
【０００４】
ところで、近年、動画撮影機能を有したデジタルカメラが登場しているが、その場合でもカメラを手で保持する方法は変わらず静止画撮影向きである。
【０００５】
しかし、従来のデジタルカメラは、動画撮影時においても操作方法・保持方法が静止画撮影時と変わらないため、動画撮影を長時間続けるのには向いていない。
【０００６】
即ち、一般に静止画像を撮影する場合には、カメラ本体のブレをなくすように両手で保持することが多く、この場合には、装置本体を横置きで撮影する姿勢が自然となる。一方、動画像を撮影する場合には、被写体の動きを捉えるために必ずしもカメラ本体のブレを気にすることなく、むしろカメラ本体を積極的に動かすことも考えられる。このような場合にはカメラ本体を縦置きにして、片手で保持して被写体を捉える姿勢が自然となる。
【０００７】
そこで、本システムは、本発明は上記問題に鑑みてなされたもので、撮像部を回転する手段を設けることで、動画撮影時にも良好な操作性を有する画像撮影装置を提供することを目的とする。
【課題を解決するための手段】
【０００８】
上記目的を達成するために、本発明の第１の画像撮影装置は、撮像レンズと、前記撮像レンズを介して入射する光を電気信号に変換する撮像素子と、前記撮像素子を収容した装置本体と、前記撮像素子により変換された前記電気信号を画像データとして記憶する記憶手段と、前記撮像レンズの撮像光軸を中心に前記撮像素子を前記装置本体に対して第１の位置から第２の位置に回転させる回転手段と、前記回転手段により前記撮像素子が第１の位置にある場合には前記記憶手段には静止画像を記憶させ、前記撮像素子が第２の位置にある場合には前記記憶手段には動画像を記憶させる制御手段とを具備することを特徴としている。
【０００９】
また、本発明の第２の画像撮影装置は、撮像レンズと、前記撮像レンズを介して入射する光を電気信号に変換する撮像素子と、前記撮像素子を収容した装置本体と、前記撮像素子により変換された前記電気信号を画像データとして記憶する記憶手段と、前記画像データの画像を表示する表示部と、前記撮像レンズの撮像光軸を中心に前記撮像素子を前記装置本体に対して第１の位置から第２の位置に回転させる第１の回転手段と、前記第１の回転手段により、前記撮像素子が第１の位置にある場合には、撮像画像を前記表示部に表示させた上で前記記憶手段には静止画像を記憶させ、前記撮像素子が第２の位置にある場合には、前記第１の回転手段により回転した角度とは反対の角度に回転させた撮像画像を前記表示部に表示させた上で前記記憶手段には動画像を記憶させる制御手段とを具備することを特徴としている。
【００１０】
更に本発明の第３の画像撮影装置は、撮像レンズと、前記撮像レンズを介して入射する光を電気信号に変換する撮像素子と、前記撮像素子を収容した装置本体と、前記撮像素子により変換された前記電気信号を画像データとして記憶する記憶手段と、前記画像データの画像を表示する表示部と、前記撮像レンズの撮像光軸を中心に前記撮像素子を前記装置本体に対して第１の位置から第２の位置に回転させる第１の回転手段と、前記表示部の所定の位置を回転の中心とし、前記表示部を前記装置本体に対して第３の位置から第４の位置に回転させる第２の回転手段と、前記第１の回転手段により、前記撮像素子が第１の位置にある場合には前記記憶手段には静止画像を記憶させ、前記撮像素子が第２の位置にある場合には前記記憶手段には動画像を記憶させる制御手段とを具備することを特徴としている。
【発明の効果】
【００１１】
動画撮影時にも良好な操作性を有する画像撮影装置を提供する。
【発明を実施するための最良の形態】
【００１２】
以下に、本発明による画像撮影装置の実施の形態を図１乃至図５を参照して説明する。
【００１３】
図１は本発明による画像撮影装置の実施の形態を示すブロック図である。この画像撮影装置１は、レンズ部１０と、撮像部２０と、第１の回転検出部３０と、制御部４０と、記憶部５０と、記録媒体６０と、操作部７０と、表示部８０と、第２の回転検出部９０とを主たる構成要素としている。
【００１４】
ここで、第１の回転検出部３０と、記憶部５０と、記録媒体６０と、操作部７０と、９０は制御部４０と接続されている。また、レンズ部１０は撮像部２０と接続されており、撮像部２０は、第１の回転検出部３０と接続されている。表示部８０は第２の回転検出部９０と接続されている。
【００１５】
次に、各要素の構成を説明する。
【００１６】
レンズ部１０は、被写体を撮像する、いわゆる撮像レンズの役割を果たす。
【００１７】
撮像部２０は、レンズ部１０により撮影された被写体の光学像を電気的な画像信号に変換する。この撮像部１０から出力された画像信号は、後述する第１の回転検出部３０を介してＣＰＵ（Ｃｅｎｔｒａｌ  Ｐｒｏｃｅｓｓｉｎｇ  Ｕｎｉｔ）を内蔵した制御部４０に供給される。撮像部２０は例えば撮像素子である。
【００１８】
第１の回転検出部３０は、撮像部２０の回転駆動を検出する部分である。
【００１９】
制御部４０は、記憶部５０の記憶領域及び格納されたプログラムを利用して、入力された画像信号に所定の信号処理を施した後、記録媒体６０に画像データとして保存する。
【００２０】
また、制御部４０は後述するように、第１の回転検出部３０からの検出信号を受信によりレンズ部１０が撮影する画像を静止画像として撮影するか動画像として撮影するかの判断を行なう。
【００２１】
記憶部５０は、データを格納する領域であり、制御部４０が行う制御プログラムや、制御部４０の処理で行われたデータを一時的に記憶する。
【００２２】
記録媒体６０は、レンズ部１０が撮影した画像ファイルを所定のファイル管理構造で保存する。尚、記録媒体６０は、画像撮影装置１に対して着脱自在であっても良いし、画像撮影装置１に内蔵する構成としても良い。
【００２３】
操作部７０は、ユーザにより画像撮影装置１に対する命令を入力する部分である。
【００２４】
表示部８０は、レンズ部１０が撮影する画像を表示したり、記録媒体６０に記憶されている画像ファイルを操作部７０を介した操作要求により再生したりする。
【００２５】
第２の回転検出部９０は、表示部８０の回転駆動を検出する部分である。
【００２６】
次に、図２を用いて本発明の画像撮影装置における静止画及び動画の撮影の制御方法を説明する。図２は本発明の画像撮影装置の静止画撮影時の状態を示した図である。図２（ａ）は画像撮影装置１の正面図であり、図２（ｂ）は画像撮影装置１の背面図を示している。図２において、画像撮影装置１は、装置本体１００を有しており、この装置本体１００の中に上述した各要素が収容されているが、レンズ部１０は、この装置本体１００から突出していてもよい。
【００２７】
第１の回転検出部３０は、レンズ部１０の中心を回転軸として回転自在な機構となっている。ここで、撮像部２０はこの第１の回転検出部３０の回転と同期して同じ方向に回転可能となっている。即ち、第１の回転検出部３０が図２に示すように第１の位置から第２の位置に回転すると、同様に撮像部２０もこれに同期して回転することとなる。この撮像部２０の回転により第１の回転検出部３０は制御部４０に回転検出の信号を送出する。
【００２８】
尚、図２は外観図であるため、本来であれば装置本体１００に収容されている撮像部２０は見えないが、ここでは破線でその存在を示している。
【００２９】
また、図２に示した画像撮影装置１は操作部７０の１つであるシャッターボタンを有している。
【００３０】
表示部８０には、レンズ部１０が捉えた画像が表示される。本発明は、図２に示すような横置きの場合は静止画像を記録媒体６０に記憶する。一方、後述するように縦置きの場合は動画像を記録媒体６０に記憶する。
【００３１】
図３は、本発明の画像撮影装置の動画撮影時の状態を示した図である。
【００３２】
図３（ａ）、図３（ｂ）には、図２において第１の回転検出部３０を第１の位置から第２の位置へ回転した際の画像撮影装置１を示しており、図３（ａ）は画像撮影装置１の正面図であり、図３（ｂ）は画像撮影装置１の背面図を示している。
【００３３】
ここでは、第１の回転検出部３０の回転角度を９０度とした場合を例に取り、かつ画像撮影装置１の装置本体１００を横置きから縦置きにした場合（第１の回転検出部３０の回転とは逆方向に９０度傾ける）を図示している。
【００３４】
従って、第１の回転検出部３０の回転に伴い、撮像部２０は９０度回転したものの、この回転とは反対方向に装置本体１００が９０度回転しているため、被写体を捉える撮像部２０は、図２（ａ）と比較して回転しておらず、変化が無いこととなる。
【００３５】
一方、画像撮影装置１が捉えた画像を表示する表示部８０は、そのままの状態で表示させれば、９０度回転した表示となっているはずであるが、本発明の画像撮影装置１では、図３（ｂ）に示すように装置本体１００を縦置きにした場合にはこれに合わせて表示部８０に表示する画像も装置本体１００と同様に９０度傾いた画像を表示し、かつ、表示部８０内に収まるように画像の大きさが縮小されている。これによりユーザは縦置きで使用しても被写体の画像を違和感無く表示部８０で見ることが可能となる。
【００３６】
更に、画像撮影装置１は、図３（ｂ）に示すように表示部８０と一体となった第２の回転検出部９０を有しており、この第２の回転検出部９０を第３の位置から第４の位置に回転することで、表示部８０もこれに同期して回転する。そして、この回転に合わせて、図３（ｃ）に示すように通常の表示、即ち、画像を回転させず、かつ、縮小もしないで全体に撮像部２０が捉えた画像を表示させる通常の状態で表示する。
【００３７】
一般に静止画像を撮影する場合には、装置本体１００のブレをなくすように両手で撮影することが多く、この場合には、装置本体１００を図２に示すように横置きで撮影する姿勢が自然となる。一方、動画像を撮影する場合には、被写体の動きを捉えるために必ずしも装置本体１００のブレを気にすることなく、むしろ装置本体１００を積極的に動かすことも考えられる。このような場合には装置本体１００を図３のように縦置きにして、片手で装置本体１００を保持して被写体を捉える姿勢が自然となる。
【００３８】
以上のような観点から本発明の画像撮影装置１は、図２のような横置きの場合は静止画を捉え、図３のような縦置きの場合は動画像を捉えるような制御を行なう。この制御のトリガとなるのは、第１の回転検出部３０の回転の検出である。
【００３９】
尚、上述では第１の回転検出部３０の回転で撮像部２０のみが同期して回転するような構成としているが、本発明はこれに限るものではなく、撮像部２０と共にレンズ部１０も回転するようにしても良い。このようにレンズ部１０も同時に回転することで、撮像部２０のみが回転し、レンズ部１０が回転しないことによる微妙な中心位置のズレが無くなり、撮影画像の品質の向上につながる。
【００４０】
次に、図４を用いて画像撮影装置１の制御方法を説明する。図４は、本発明の実施の形態における画像撮影装置１の制御方法を示すフローチャートである。
【００４１】
図４において、画像撮影装置１の制御部４０は、第１の回転検出部３０より回転検出の信号を受信したか否かを判断する（ステップＳ２１０）。即ち、第１の回転検出部３０は撮像部２０が例えば第１の位置からから第２の位置に回転したか否かを常に監視しているため、上記回転検出の信号の受信は撮像部２０が回転したことを意味する。
【００４２】
その結果、制御部４０は第１の回転検出部３０より回転検出の信号を受信していない場合は（ステップＳ２１０のＮｏ）、制御部４０はレンズ部１０及び撮像部２０が捉える画像を静止画で撮影するように設定し（ステップＳ２３０）、後述するステップＳ２６０の処理を行う。
【００４３】
一方、第１の回転検出部３０より回転検出の信号を受信した場合は（ステップＳ２１０のＹｅｓ）、制御部４０はレンズ部１０及び撮像部２０が捉える画像を動画で撮影するように設定する（ステップＳ２２０）。
【００４４】
次に、制御部４０は、第２の回転検出部９０より回転検出の信号を受信したか否かを判断する（ステップＳ２４０）。即ち、第２の回転検出部９０は表示部８０が例えば第３の位置からから第４の位置に回転したか否かを常に監視しているため、上記回転検出の信号の受信は表示部８０が回転したことを意味する。
【００４５】
その結果、制御部４０は第２の回転検出部９０より回転検出の信号を受信していない場合は（ステップＳ２４０のＮｏ）、制御部４０は、表示部８０へ表示するための撮像部２０が捉えた画像を調整する（ステップＳ２５０）。
【００４６】
即ち、撮像部２０が回転した方向と逆方向に捉えた画像を回転させ、かつ、表示部８０にその画像の全体を表示できる大きさに縮小表示の処理を行う。尚、本実施例は図３（ｂ）に示したように表示部８０の大きさに適した表示をさせるものであり、表示部８０の形状や大きさによっては必ずしも縮小表示とは限らず、逆に拡大表示となる場合もある。
【００４７】
次に、制御部４０は表示部８０に画像を表示させる（ステップＳ２６０）。即ち、ステップＳ２４０にて表示部８０の回転を検出していない場合には、図３（ｂ）に示すように上述したステップＳ２５０の処理を行なった画像を表示のための所定の処理を施して表示部８０に表示させる。一方、、ステップＳ２４０にて表示部８０の回転を検出した場合には、図３（ｃ）に示すように、ステップＳ２５０の処理を経ない撮像部２０が捉えた画像を表示のための所定の処理を施して表示部８０に表示させる。
【００４８】
次に、制御部４０は撮影指示があったか否かを判断する（ステップＳ２７０）。即ち、制御部４０は、ユーザによる操作部７０の操作により、撮影指示があったか否かを判断する。
【００４９】
その結果、制御部４０は撮影指示がないと判断した場合には（ステップＳ２７０のＮｏ）、ユーザからの撮影指示があるまでこの判断を継続することとなる。
【００５０】
一方、制御部４０は撮影指示があったと判断した場合には（ステップＳ２７０のＹｅｓ）、撮影を行なう（ステップＳ２８０）。即ち、制御部４０はレンズ部１０及び撮像部２０が捉えた画像を記録媒体６０に記憶するための所定の処理を行い、画像ファイルを作成する。ここで、作成される画像ファイルは、ステップＳ２１０において撮像部２０の回転を検出している場合は動画像のファイルであり、撮像部２０の回転を検出していない場合には静止画像のファイルである。尚、作成した画像ファイルは、記録媒体６０に記憶する前に記憶部５０に一時的に記憶するように画像撮影装置１を構成しても良い。
【００５１】
次に制御部４０は作成した画像を記録媒体６０に記憶させる（ステップＳ２９０）。これにより、記録媒体６０には静止画または動画の画像ファイルが記憶されることとなる。
【００５２】
以上の処理を行うことで、静止画撮影時には横置き、動画撮影時には縦置きの保持が可能となる。従って、静止画の撮影時だけでなく、動画撮影時にも良好な操作性を有する画像撮影装置を提供できることとなる。
【００５３】
（変形例）
本発明の実施の形態は、以下のような変形例でも良い。即ち、撮像部２０及び表示部８０は、それぞれ第１の回転検出部３０と第２の回転検出部９０によりその回転の検出が行なわれるものであるが、撮像部２０の回転と表示部８０の回転を同期させるようにしても良い。即ち、上述した実施例では、第１の回転検出部３０を第１の位置から第２の位置煮へ回転させると、撮像部２０がこれに同期して回転するような構成であったが、本変形例では、第１の回転検出部３０の回転に同期させて、第２の回転検出部９０と一体になった表示部８０も第３の位置から第４の位置に回転するような構成となっている。
【００５４】
このような構成をとると、第１の回転検出部３０の回転に伴い、必ず第２の回転検出部９０も回転することとなるため、図４に示したフローチャートでは、ステップＳ２４０やステップＳ２５０の処理が省略されることとなる。
【００５５】
尚、このような撮像部２０と表示部８０との回転が同期されることを装置本体１００の形状からユーザが容易に想像できるように、装置本体１００の形状を図５に示したように構成しても良い。図５は、撮像部２０と表示部８０とが同期して回転する画像撮影装置を示した図である。
【００５６】
この図５では、図３の第１の回転検出部３０として示した部分と第２の回転検出部９０として示した部分の形状をほぼ同形状にして第１の回転検出部３０を回転させることで第２の回転検出部９０が回転することを容易に想像できる形状となっている。
【００５７】
従って、ユーザから見れば、第１の回転検出部３０を保持しながら回転させることで、撮像部２０と表示部８０を回転させることも出来るし、第２の回転検出部９０を保持しながら回転させることで撮像部２０と表示部８０を回転させることも出来る。即ち、撮像部２０と表示部８０の回転は第１の回転検出部３０を回転させても良いし第２の回転検出部９０を回転させても良く、結果として操作性が向上する構造となる。
【００５８】
以上のような構成とすることで、静止画の撮影時だけでなく、動画撮影時にも良好な操作性を有する画像撮影装置を提供できることとなる。
【図面の簡単な説明】
【００５９】
【図１】本発明による画像撮影装置の実施の形態を示すブロック図。
【図２】本発明の画像撮影装置の静止画撮影時の状態を示した図。
【図３】本発明の画像撮影装置の動画撮影時の状態を示した図。
【図４】本発明の実施の形態における画像撮影装置１の制御方法を示すフローチャート。
【図５】撮像部２０と表示部８０とが同期して回転する画像撮影装置を示した図。
【符号の説明】
【００６０】
１  画像撮影装置
１０  レンズ部
２０  撮像部
３０  第１の回転検出部
４０  制御部
５０  記憶部
６０  記録媒体
７０  操作部
８０  表示部
９０  第２の回転検出部
１００  装置本体
【図１】
2006033773.tif 000003
【図２】
2006033773.tif 000004
【図３】
2006033773.tif 000005
【図４】
2006033773.tif 000006
【図５】
2006033773.tif 000007